(57)【要約】【課題】アクセスポイントを用いたデータ伝送の際にＡＰのバッファに閾値を設定し、ＡＰにデータ伝送の優先権を与えてデータ伝送遅延を最小化することが可能な、ＡＰを用いた無線ネットワーク通信方法を提供する。【解決手段】ＡＰに格納されたアソシエーションＩＤに基づいてポーリングリストを生成する段階と、ＰＣＦ区間でポーリングリストに基づいて各ステーションにポーリング信号を伝送する段階と、アクセスポイントから伝送されたポーリング信号に応えて、データを伝送する段階と、ステーションからアクセスポイントに伝送されたデータを受信する段階と、受信したデータをアクセスポイントのバッファに格納する段階と、格納されたデータ量とバッファに設定された閾値とを比較する段階と、比較結果、閾値を超過した場合、各ステーションに対するポーリング信号の伝送を中止し、バッファに格納されたデータを当該ステーションに伝送する段階とを含む。【選択図】図３
2005012762.tif 000002
【特許請求の範囲】
【請求項１】
アクセスポイントに格納された各ステーションのアソシエーションＩＤに基づいてポーリングリストを生成する段階と、
ＰＣＦ区間で前記ポーリングリストに基づいて各ステーションにポーリング信号を伝送する段階と、
前記アクセスポイントから伝送されたポーリング信号に応えて、当該ステーションが、伝送しようとするデータを伝送する段階と、
前記ステーションから前記アクセスポイントに伝送されたデータを受信する段階と、
前記ステーションから受信されたデータを前記アクセスポイントのバッファに格納する段階と、
前記バッファに格納されたデータ量と前記バッファに設定されたしきい値とを比較する段階と、
前記比較の結果、前記しきい値を超過した場合、前記各ステーションに対するポーリング信号の伝送を中止し、前記バッファに格納されたデータを当該ステーションに伝送する段階と
を含むことを特徴とするアクセスポイントを用いた無線ネットワーク通信方法。
【請求項２】
前記アクセスポイントから伝送されたポーリング信号に基づき、当該ステーションが、伝送しようとするデータを伝送する段階は、前記ステーションが伝送しようとするデータが存在しない場合、アクセスポイントにＮＵＬＬ値を伝送する段階をさらに含むことを特徴とする請求項１記載のアクセスポイントを用いた無線ネットワーク通信方法。
【請求項３】
前記比較の結果、前記しきい値を超過した場合、前記各ステーションに対するポーリング信号の伝送を中止し、前記バッファに格納されたデータを当該ステーションに伝送する段階は、
前記比較の結果、しきい値を超過すると、ポーリング信号伝送を中止しＰＣＦフレーム間の間隔だけ待った後、データを伝送する段階と、
前記アクセスポイントからデータを受信したステーションが、短いフレーム間の間隔だけ待った後、アクセスポイントに応答信号を伝送する段階と
を含むことを特徴とする請求項１記載のアクセスポイントを用いた無線ネットワーク通信方法。
【請求項４】
前記バッファに格納されたデータを当該ステーションに伝送した以後にも、ＰＣＦモードの区間が終了していない場合、アクセスポイントは次のステーションにポーリング信号を伝送する段階をさらに含むことを特徴とする請求項１記載のアクセスポイントを用いた無線ネットワーク通信方法。
【請求項５】
ＰＣＦ区間とＤＣＦ区間を有するインフラストラクチャモードでアクセスポイントを用いた無線ネットワーク通信方法において、
ＤＣＦモードの区間が始まると、前記アクセスポイントのバッファにデータが存在するか否かを判断する段階と、
前記判断の結果、前記アクセスポイントのバッファにデータが存在する場合、前記アクセスポイントのバッファに格納されたデータを当該ステーションに伝送する段階と、
前記アクセスポイントのバッファに格納されたデータが当該ステーションに伝送されると、各ステーションが競争によってデータを伝送する段階と
を含むことを特徴とするアクセスポイントを用いた無線ネットワーク通信方法。
【請求項６】
前記判断の結果、アクセスポイントのバッファにデータが存在する場合、前記アクセスポイントのバッファに格納されたデータを当該ステーションに伝送する段階は、
前記判断の結果、アクセスポイントのバッファにデータが存在する場合、ＰＣＦフレーム間の間隔だけ待った後、アクセスポイントのバッファに格納されたデータを当該ステーションに伝送する段階と、
前記アクセスポイントからデータを受信したステーションが、短いフレーム間の間隔だけ待った後、アクセスポイントに応答信号を伝送する段階と
を含むことを特徴とする請求項５記載のアクセスポイントを用いた無線ネットワーク通信方法。
【請求項７】
前記判断の結果、アクセスポイントのバッファにデータが存在する場合、前記アクセスポイントのバッファに格納されたデータを当該ステーションに伝送する段階は、
前記ＤＣＦモードの区間でＰＣＦフレーム間の間隔後に行われることを特徴とする請求項５記載のアクセスポイントを用いた無線ネットワーク通信方法。
【請求項８】
ＤＣＦ区間でアクセスポイントと各ステーションがデータを伝送するために競争を行う段階と、
前記競争に勝ったステーションが前記アクセスポイントにデータを伝送する段階と、
前記アクセスポイントに伝送されたデータをバッファに格納する段階と、
前記バッファに格納されたデータを前記アクセスポイントから当該ステーションに伝送する段階と、
前記アクセスポイント及び各ステーションが競争によってデータを伝送する段階と
を含むことを特徴とするアクセスポイントを用いた無線ネットワーク通信方法。
【請求項９】
前記バッファに格納されたデータを前記アクセスポイントから当該ステーションに伝送する段階は、ＰＣＦフレーム間の間隔後に行われ、前記アクセスポイント及び各ステーションが競争によってデータを伝送する段階は、分散フレーム間の間隔後に行われることを特徴とする請求項８記載のアクセスポイントを用いた無線ネットワーク通信方法。
【発明の詳細な説明】
【技術分野】
【０００１】
本発明は、アクセスポイント(Access Point：以下、「ＡＰ」という)を用いた無線ネットワーク通信方法に関し、特に、ＩＥＥＥ８０２.１１ワイヤレス・ローカル・エリア・ネットワーク(Wireless Local Area Network：以下、「ＷＬＡＮ」という)基盤でＡＰを用いたデータ伝送の際にＡＰのバッファにしきい値を設定し、ＡＰにデータ伝送の優先権を与えてデータ伝送遅延を最小化することが可能な、ＡＰを用いたデータ伝送方法に関する。
【背景技術】
【０００２】
一般に、ＩＥＥＥ８０２.１１ＷＬＡＮは、ネットワークシステムの構築時にケーブルを使用せず、電波や赤外線などを用いて大気を通信チャネルとして使用する。
このようなＩＥＥＥ８０２.１１ＷＬＡＮは、８０２.１１ネットワークのフレームを他のネットワークに伝達するために他のタイプのフレームに変換する、すなわち無線と有線のブリッジング機能を行うＡＰと無線ネットワークとのインタフェース処理が可能なＷＬＡＮ装置が取り付けられるノートブック、ＰＤＡのようなステーション(Station)を含んで構成される。
【０００３】
また、ＩＥＥＥ８０２.１１ＷＬＡＮは、基本サービスセット(Basic Service Set：以下、「ＢＳＳ」という)を基本構成としているが、これは互いに通信するステーションのグループをいう。
ＢＢＳは、一つのステーションが他のステーションと直接通信する独立ＢＳＳと、必ずＡＰを介して他のステーションと通信するインフラストラクチャ(infrastructure)ＢＳＳとに分けられるが、インフラストラクチャＢＳＳは、ステーションとＡＰとの間でのみ通信が行われるため、ステーション同士の間には通信が行われない。
【０００４】
図１は従来のポイント調整関数(Point Coordination Function：以下、「ＰＣＦ」という)モードでデータを伝送する過程を概略的に示す図である。ＰＣＦは、ステーション間の競争なしでＡＰの制御に従ってデータを伝送することができる。すなわち、ＰＣＦでは、ＡＰがポーリング(polling)信号をステーションに送りながら、ステーションにデータを伝送する機会を与える。
【０００５】
例えば、ＡＰが第１ステーションにポーリング信号を送ると、ポーリング信号を受信した第１ステーションは、第２ステーションに送るべき第２データをＡＰに送る。ついで、ＡＰは第１ステーションに応答信号ＡＣＫを送った後、第２ステーションにポーリング信号を送るが、この際、第２ステーションに送るべき第２データがあるので、ポーリング信号と第２データ２を共に送る（ピギーバック(Piggy Back)）。ここで、ピギーバックとはＡＰがステーションにポーリング信号と共にデータをのせて伝送することをいい、無競争期間でのみ可能である。
【０００６】
その後、第２ステーションは応答信号と第１ステーションに送るべき第１データとをＡＰに送り、ＡＰは第２ステーションに応答信号ＡＣＫを送った後、第３ステーションにポーリング信号を送る。
第３ステーションは、第２ステーションに送るべき第２データをＡＰに送り、ＡＰは応答信号ＡＣＫを伝送した後、第４ステーションにポーリング信号を伝送する。ところが、第４ステーションは送るデータが無く、ＡＰにＮＵＬＬ信号を送る。
この際、第１データと第２データがＡＰのバッファに格納されている状態でＰＣＦ期間が終了する。
【０００７】
図２は従来の分散調整関数(Distributed Coordination Function：以下、「ＤＣＦ」という)モードでデータを伝送する過程を概略的に示す図である。ＤＣＦは、ＡＰとステーション間の競争を経て、競争から勝ったＡＰ又はステーションのみがデータを伝送することができる。
まず、全てのステーションとＡＰは競争によってデータを伝送するが、一応競争によってＡＰに伝送された第１データは、さらに競争を経てＡＰから当該第１ステーションに伝送される。ここで、競争から勝ったステーションがデータを伝送する際、ネットワーク割当ベクタ(Network Allocation Vector：以下、「ＮＡＶ」という)を実現して全てのステーションに現在のフレームを伝送した後、一定のマイクロ秒間媒体への接近を延期させる。
【０００８】
また、チャネルが使用されている場合、分散フレーム間の間隔(Distributed Inter-Frame Space：ＤＩＦＳ)だけアイドル状態を維持し、バックオフが行われる。ここで、バックオフとは、ＷＬＡＮ上で伝送媒体上のデータ伝送信号が衝突を起こしたとき、再び伝送を試みるまでの遅延時間をいう。
その後、ＤＩＦＳだけ待った後、全てのステーションが競争を行い、これにより第２ステーションが競争から勝って第３データを伝送する。このような競争によって全ステーションとＡＰはデータを伝送する。
【０００９】
ところが、図１に示すように、ＡＰは任意の手順によってステーションにポーリング信号を伝送するため、ＡＰが伝送するポーリング信号に基づいてステーションのデータ送受信が決定されるので、ＡＰバッファにデータが蓄積される状況が発生する。また、図２に示すように、ＤＣＦ期間ではＡＰがステーションのように競争によってバッファのデータを送るため、ＰＣＦ期間にＡＰに送られたデータの伝送が遅延し続けるという問題点が発生する。
【００１０】
従って、ＡＰのバッファに格納されたデータは、最悪の場合、全て捨てられることもあり、ＤＣＦモードでも全てのデータを競争によって一応ＡＰに送った後、さらに競争によってステーションに伝送するため、ＡＰのバッファにはデータが蓄積され続ける。これにより、ＡＰに連結されたステーションの数が増加し或いはデータを送るステーションが増加する場合、さらに深刻な問題が起こる。
【００１１】
特許文献１（通信端末収容装置、通信端末装置及び無線通信システム）は、ＩＥＥＥ８０２．１１システム制御下に通信端末が識別する、ある信号を送信信号に差し込んで、ほかのシステムの制御下にある通信端末の間で相互間の干渉なしに通信することができる無線通信システムを開示しているが、これは、ＡＰバッファーにデータが蓄積し続けて、データ伝送が遅延することを解決できないと言う問題があります。
【００１２】
【特許文献１】韓国公開特許２００３−００４３８９
【発明の開示】
【発明が解決しようとする課題】
【００１３】
本発明は、かかる問題点を解決するためのもので、その目的は、ＰＣＦモードでＡＰのバッファにしきい値を設定し、バッファに格納されたデータを遅延なく当該ステーションに伝送することが可能な、ＡＰを用いた無線ネットワーク通信方法を提供する。
本発明の他の目的は、ＤＣＦモードの区間でＡＰにデータ伝送の優先権を与えてデータ伝送遅延を最小化することが可能な、ＡＰを用いた無線ネットワーク通信方法を提供することにある。
【課題を解決するための手段】
【００１４】
上記目的を達成するために、本発明は、ＡＰに格納された各ステーションのアソシエーションＩＤに基づいてポーリングリストを生成する段階と、ＰＣＦ区間で前記ポーリングリストに基づいて各ステーションにポーリング信号を伝送する段階と、前記アクセスポイントから伝送されたポーリング信号に応えて、当該ステーションが、伝送しようとするデータを伝送する段階と、前記ステーションから前記アクセスポイントに伝送されたデータを受信する段階と、前記ステーションから受信されたデータを前記アクセスポイントのバッファに格納する段階と、前記バッファに格納されたデータ量と前記バッファに設定されたしきい値とを比較する段階と、前記比較結果、前記しきい値を超過した場合、前記各ステーションに対するポーリング信号の伝送を中止し、前記バッファに格納されたデータを当該ステーションに伝送する段階とを含むことを特徴とする。
【００１５】
また、本発明は、ＰＣＦ区間とＤＣＦ区間を有するインフラストラクチャモードでＡＰを用いた無線ネットワーク通信方法において、ＤＣＦモードの区間が始まると、前記ＡＰのバッファにデータが存在するか否かを判断する段階と、前記判断結果、前記ＡＰのバッファにデータが存在する場合、前記ＡＰのバッファに格納されたデータを当該ステーションに伝送する段階と、前記ＡＰのバッファに格納されたデータが当該ステーションに伝送されると、各ステーションが競争によってデータを伝送する段階とを含むことを特徴とする。
【００１６】
また、本発明は、ＤＣＦ区間でＡＰと各ステーションがデータを伝送するために競争を行う段階と、前記競争から勝ったステーションが前記ＡＰにデータを伝送する段階と、前記アクセスポイントに伝送されたデータをバッファに格納する段階と、前記バッファに格納されたデータを前記アクセスポイントから当該ステーションに伝送する段階と、前記アクセスポイント及び各ステーションが競争によってデータを伝送する段階とを含むことを特徴とする。
【発明の効果】
【００１７】
本発明によれば、ＰＣＦモードでデータ伝送の際にＡＰのバッファにしきい値を設定して、しきい値を超過した場合、ポーリング信号の伝送を中止し、バッファに格納されたデータを当該ステーションに伝送することにより、データ伝送の遅延問題を解決することができるという効果がある。
また、ＤＣＦモードの区間でＡＰにデータ伝送の優先権を与え、バッファに格納されたデータを伝送できるようにし、データの伝送遅延を最小化することができるという効果がある。
さらに、ＡＰのバッファにしきい値を設定することにより、ＡＰのバッファサイズが減少し、これによりＡＰのバッファに格納されるデータが減るため、データ伝送の遅延が短縮されるという効果がある。
【発明を実施するための最良の形態】
【００１８】
以下、添付図に基づいて本発明の好適な実施形態を詳細に説明する。
図３は、本発明に係るＷＬＡＮのＰＣＦモードでデータを伝送する過程を概略的に示すフローチャートである。まず、インフラストラクチャネットワークでＡＰが各ステーションのアソシエーションＩＤに基づいてポーリングリストを生成し、ビーコン(beacon)をブロードキャストした後、前記ポーリングリストに基づいて各ステーションにポーリング信号を伝送する（Ｓ１００）。ここで、ビーコンはネットワークの存在を知らせ、ネットワークのメンテナンスの役割を担当するフレームであり、データを伝送する区間情報が格納されている。ビーコンを周期として無競争期間(Contention-Free Period：以下、「ＣＦＰ」という)の始まりを知らせる。
【００１９】
その後、ＡＰからポーリング信号を受信したステーションは、伝送するデータをＡＰに伝送する（Ｓ１０２）。ここで、ＡＰはポーリングリストに設定された順序に従ってそれぞれのステーションにポーリング信号を伝送し、ポーリング信号を受信したステーションのみがデータを伝送することができる。
次に、ＡＰは、各ステーションから伝送されたデータをバッファに格納した後、当該ステーションにポーリング信号を伝送する際に伝送データを共に伝送するが、ＡＰは、特定のステーションにポーリング信号と共に一つのデータのみを伝送することができる。
【００２０】
一方、ＡＰは、バッファに任意のしきい値を設定し、設定されたしきい値を超過したか否かを判断する（Ｓ１０４）。ここで、しきい値を設定することにより、ＡＰバッファに格納されたデータの個数が任意のしきい値を超過して格納されると、バッファに格納されたデータを直ちに当該ステーションに伝送する。
もしバッファに設定されたしきい値を超過すれば、ＡＰは、次のステーションに対するポーリング信号の伝送を中止し（Ｓ１０６）、ＰＣＦフレーム間の間隔(PCF Inter-Frame Space：以下、「ＰＩＦＳ」という)だけ待った後、バッファに格納されたデータを当該ステーションに伝送する（Ｓ１０８）。ここで、無競争周期の間、伝送するデータを持っているステーションは、ＰＩＦＳだけ時間が経った後、伝送を始めることができる。
【００２１】
その後、データを受信したステーションは、短いフレーム間の間隔(Short Inter-Frame
Space：以下、「ＳＩＦＳ」という)以後、ＡＰに応答信号を送る。ここで、肯定的な確認応答のような最優先権を有するフレームはＳＩＦＳだけ時間が経った後、通信を始めることができる。
その後、ＰＣＦ区間のＣＦＰが終了したか否かを判断する（Ｓ１１０）。ＰＣＦ区間のＣＦＰが終了した場合、ＡＰは、各ステーションにＣＦＰが終了することを知らせ（Ｓ１１２）、バッファに格納されたデータを当該ステーションに伝送した後ＣＦＰが終了していない場合、ＡＰは次のステーションにポーリング信号を伝送する（Ｓ１１４）。
【００２２】
図４は、本発明に係るＷＬＡＮのＤＣＦモードでデータを伝送する過程を概略的に示すフローチャートである。図４によれば、まず競争期間(Contention Period：以下、「ＣＰ」という)が始まると、ＡＰのバッファにデータが存在するか否かを判断する（Ｓ２００）。
もしＡＰのバッファにデータが存在すれば、ＰＩＦＳ以後に直ちにデータを当該ステーションに伝送する。ここで、ＰＩＦＳの間隔がＤＩＦＳの間隔より短いため、ＡＰは優先的にデータを伝送することができる。
【００２３】
この際、ＡＰがデータを伝送しているため、各ステーションは、ＤＩＦＳだけアイドル状態を維持し、バックオフを行う。その後、ＤＩＦＳだけ待った後、全てのステーションは競争によってＡＰにデータを伝送する（Ｓ２０６）。ＤＣＦモードでは、全てのステーションの中でも競争から勝ったステーションのみがデータを伝送することができる。
もしＡＰのバッファにデータが存在しなければ、全てのステーションが競争によってＡＰにデータを伝送する（Ｓ２０６）。
【００２４】
図５は本発明に係るＷＬＡＮのＤＣＦモードで競争によってデータを伝送する過程を概略的に示すフローチャートである。図５によれば、まずＤＣＦ区間でＡＰと各ステーションがデータを伝送するために競争を行い（Ｓ３００）、競争に勝ったステーションがＡＰにデータを伝送する（Ｓ３０２）。
その後、ＡＰは伝送されたデータをバッファに格納し、ＰＩＦＳだけ時間が経過した後、バッファに格納されたデータを当該ステーションに伝送する（Ｓ３０４）。そして、ＡＰのデータ伝送後、ＡＰ及び各ステーションはＤＩＦＳだけ待った後、競争によってデータを伝送する（Ｓ３０６）。ここで、ＰＩＦＳの間隔がＤＩＦＳの間隔より短いため、ＡＰは優先的にデータを伝送することができる。
【００２５】
図６は、本発明に係るＷＬＡＮのＰＣＦモードでデータを伝送する過程を概略的に示す図である。図６によれば、まずＡＰがビーコンをブロードキャストした後、ポーリングリストに設定された順序によって第１ステーションにポーリング信号を伝送すると、ＡＰからポーリング信号を受信した第１ステーションは、第２ステーションに送る第２データをＡＰに伝送する。
ＡＰは、第１ステーションに応答信号を送り、第１ステーションから伝送された第２データをバッファに格納する。その後、ＡＰは、ポーリングリストに設定された順序によって第２ステーションにポーリング信号を伝送する。この際、第２ステーションに伝送する第２データが存在するので、ＡＰは、ポーリング信号と第２データを共に伝送する。
【００２６】
その後、ＡＰが第２ステーションにポーリング信号と共に第２データを伝送すると、第２ステーションは、第２データを受信したという応答信号と第１ステーションに送る第１データとをＡＰに伝送する。
ＡＰは、第２ステーションに応答信号を伝送し、第１ステーションに伝送する第１データをバッファに格納する。
その後、ＡＰは、第３ステーションにポーリング信号を伝送し、第３ステーションは、第２ステーションに送るべき第２データをＡＰに伝送する。これにより、ＡＰは、第３ステーションに応答信号を伝送し、第２ステーションに伝送すべき第２データをバッファに格納する。
【００２７】
このような過程を行い続けると、ＡＰのバッファにデータが蓄積され続けるので、ＡＰはバッファに任意のしきい値を設定し、設定されたしきい値を超過したか否かを判断する。例えば、バッファに設定されたしきい値が２の場合、ＡＰはバッファに格納されたデータの個数をチェックし、設定されたしきい値を超過したか否かを判断するが、判断の結果、バッファに第１データと第２データが格納されているので、ＡＰは、その次のステーションである第３ステーションにポーリング信号を伝送することを中止し、バッファに格納された第１データと第２データを、当該ステーションの第１ステーションと第２ステーションに伝送する。ここで、ＡＰは、第１データを第１ステーションに伝送する前にＰＩＦＳだけ待った後、第１データを伝送する。
【００２８】
その後、第１ステーションは、ＳＩＦＳ以後にデータの受信に対する応答信号を伝送する。一方、第２データの伝送も前記と同様の過程を経る。
その次、ＣＦＰが終了すると、ＡＰは各ステーションにＣＦＰの終了を知らせ、よってＤＣＦ区間が始まる。
【００２９】
図７は、本発明に係るＷＬＡＮのＤＣＦモードでデータを伝送する過程を概略的に示す図であって、ＡＰのバッファに設定されたしきい値を超過していない場合、ＤＣＦ区間でバッファに格納されたデータを伝送する過程を示す。
まず、ＤＣＦ区間が始まると、ＡＰのバッファにデータが存在するか否かを判断し、判断の結果、ＡＰのバッファに第１データと第２データが存在するので、当該ステーションにデータを伝送する。すなわち、ＡＰはＰＩＦＳが経過した後、第１データを第１ステーションに伝送し、第１ステーションはＳＩＦＳが経過した後、データ受信に対する応答信号をＡＰに伝送する。
【００３０】
その後、ＡＰはＰＩＦＳが経過した後、第２ステーションに第２データを伝送する。すると、第２ステーションは、ＳＩＦＳが過ぎた後、データ受信に対する応答信号をＡＰに伝送する。ここで、ＰＩＦＳの間隔がＤＩＦＳの間隔より短いため、ＡＰは優先的にデータを伝送することができる。
この際、ＡＰがデータを伝送しているため、各ステーションは、ＤＩＦＳだけアイドル状態を維持し、バックオフを行う。その後、ＤＩＦＳとバックオフ時間だけ待った後、全てのステーションは、競争によってＡＰにデータを伝送する。よって、第２ステーションが競争から勝って第３データをＡＰに伝送する。
【００３１】
その後、ＡＰは、第２ステーションにデータ受信に対する応答信号を伝送し、ＰＩＦＳが経過した後、第３ステーションに第３データを伝送すると、第３ステーションは、データ受信に対する応答信号をＡＰに伝送する。
次に、ＤＩＦＳとバックオフ時間だけ待った全てのステーションは、競争によってＡＰにデータを伝送するが、第３ステーションが競争から勝って第４データをＡＰに伝送する。
その次に、ＡＰは、第３ステーションにデータ受信に対する応答信号を伝送し、ＰＩＦＳが経過した後、第４ステーションに第４データを伝送すると、第４ステーションは、データ受信に対する応答信号をＡＰに伝送する。
【００３２】
図８は、本発明に係るＷＬＡＮのＤＣＦモードで競争によってデータを伝送する過程を概略的に示す図である。図８によれば、まずＤＣＦ区間が始まると、ＡＰと全てのステーションは、競争によってデータを伝送する。
前記競争から勝った第１ステーションが第２ステーションに送るべき第２データをＡＰに伝送すると、前記ＡＰは、伝送された第２データをバッファに格納し、第１ステーションにデータ受信に対する応答信号を伝送する。
【００３３】
その後、ＡＰは、ＰＩＦＳだけ時間が経過した後、前記バッファに格納された第２データを当該第２ステーションに伝送し、前記第２ステーションは前記ＡＰにデータ受信に対する応答信号を伝送する。
その次に、ＤＩＦＳとバックオフ時間だけ待ったＡＰと全てのステーションは、競争によってデータを伝送するが、第２ステーションが競争から勝って、第３ステーションに送るべき第３データをＡＰに伝送する。
ＡＰは、第２ステーションにデータ受信に対する応答信号を伝送し、ＰＩＦＳが経過した後、第３ステーションに第３データを伝送すると、第３ステーションはデータ受信に対する応答信号をＡＰに伝送する。
【００３４】
その後、ＤＩＦＳとバックオフ時間だけ待ったＡＰと全てのステーションは、競争によってデータを伝送する。第３ステーションが競争から勝って、第４ステーションに送るべき第４データをＡＰに伝送する。
ＡＰは、第３ステーションにデータ受信に対する応答信号を伝送し、ＰＩＦＳが経過した後、第４ステーションに第４データを伝送すると、第４ステーションはデータ受信に対する応答信号をＡＰに伝送する。
【００３５】
図９は、本発明に係るＤＣＦモードと従来のＤＣＦモードにおけるデータ伝送量の差を示すグラフである。図９によれば、ＤＣＦモードでは、衝突回数が増加するにつれてデータ伝送の遅延も増える反面、本願発明のＤＣＦモードでは、衝突回数と関係なく、設定されたしきい値に応じてデータを伝送する。従って、衝突回数が少ないときは、本願発明のＤＣＦモードと従来のＤＣＦモードにおけるデータ伝送量の差は少ないが、衝突回数が大きくなるほど、本願発明のＤＣＦモードと従来のＤＣＦモードにおけるデータ伝送量は、大きな差を示す。
【００３６】
図１０は、本発明に係るしきい値が設定されたＰＣＦモードと従来のＰＣＦモードにおけるデータ伝送量の差を示すグラフである。ここで、１５００ｂｙｔｅｓのデータ伝送の際、しきい値を２に設定して伝送すると仮定した。
本実施形態において、ＰＣＦモードでピギーバックの確率が１０％〜８０％の場合、３Ｍｂｐｓ〜１４Ｍｂｐｓだけのデータ伝送量の差が発生する。すなわち、本願発明に係るしきい値が設定されたＰＣＦモードでは、ピギーバックの確率に関係なく、設定されたしきい値に応じてデータが伝送されるので、データの伝送量が一定であるが、従来のＰＣＦモードでは、ピギーバックの確率がデータの伝送量に影響を及ぼすので、ピギーバックの確率が低いほどデータの伝送量が低くなって図示の如くデータ伝送量の差が高くなることが分る。
【００３７】
以上、本発明について詳細に説明したが、本発明の属する技術分野で通常の知識を有する者であれば、特許請求の範囲に定義された本発明の精神及び範囲から逸脱することなく、本発明を様々に変形又は変更して実施することが可能なのは明らかなことである。よって、本発明の実施形態による単純な変更は本発明の技術範囲に属するものと理解すべきである。
【図面の簡単な説明】
【００３８】
【図１】従来のＰＣＦモードでデータを伝送する過程を概略的に示す図である。
【図２】従来のＤＣＦモードでデータを伝送する過程を概略的に示す図である。
【図３】本発明に係るＷＬＡＮのＰＣＦモードでデータを伝送する過程を概略的に示すフローチャートである。
【図４】本発明に係るＷＬＡＮのＤＣＦモードでデータを伝送する過程を概略的に示すフローチャートである。
【図５】本発明に係るＷＬＡＮのＤＣＦモードで競争によってデータを伝送する過程を概略的に示すフローチャートである。
【図６】本発明に係るＷＬＡＮのＰＣＦモードでデータを伝送する過程を概略的に示す図である。
【図７】本発明に係るＷＬＡＮのＤＣＦモードでデータを伝送する過程を概略的に示す図である。
【図８】本発明に係るＷＬＡＮのＤＣＦモードで競争によってデータを伝送する過程を概略的に示す図である。
【図９】本発明に係るＤＣＦモードと従来のＤＣＦモードにおけるデータ伝送量の差を示すグラフである。
【図１０】本発明に係るしきい値が設定されたＰＣＦモードと従来のＰＣＦモードにおけるデータ伝送量の差を示すグラフである。
【図１】
2005012762.tif 000003
【図２】
2005012762.tif 000004
【図３】
2005012762.tif 000005
【図４】
2005012762.tif 000006
【図５】
2005012762.tif 000007
【図６】
2005012762.tif 000008
【図７】
2005012762.tif 000009
【図８】
2005012762.tif 000010
【図９】
2005012762.tif 000011
【図１０】
2005012762.tif 000012